(57)【要約】【課題】本明細書は、二次電池においてケースとカバーの合わせ面の間に絶縁シートが入り込むことを防止する技術を提供する。【解決手段】本明細書が開示する二次電池は、上面に開口が設けられているケース４と開口を塞いでいるカバー５とケース４に収容されている電極体２と絶縁シート３０を備えている。絶縁シート３０は、電極体２とケース４の内側面４ｂとの間に配置されている。そして、ケース４の内側面４ｂの上端であって、カバー５の下方に突起１４が設けられており、絶縁シート３０の上端は、突起１４に沿ってケース４の内側へ湾曲している。【選択図】図３
2016110958.tif 000002
【特許請求の範囲】
【請求項１】
上面に開口が設けられているケースと、
前記開口を塞いでいるカバーと、
前記ケースに収容されている電極体と、
前記電極体と前記ケースの内側面との間に配置されている絶縁シートと、
を備えており、
前記ケースの前記内側面の上端であって、前記カバーの下方に突起が設けられており、
前記絶縁シートの上端は、前記突起に沿って前記ケースの内側へ湾曲している、
ことを特徴とする二次電池。
【発明の詳細な説明】
【技術分野】
【０００１】
本明細書が開示する技術は、二次電池に関する。
【背景技術】
【０００２】
一般に二次電池は、電極体と電極体を収容するケースとで構成される。例えば、特許文献１にそのような構成を有する二次電池が開示されている。特許文献１の二次電池では、電極体が絶縁袋（絶縁シート）で覆われており、ケースと電極体の間が絶縁される。
【先行技術文献】
【特許文献】
【０００３】
【特許文献１】特開２０１２−２４８４２７号公報
【発明の概要】
【発明が解決しようとする課題】
【０００４】
上述のような二次電池において、電極体を収容したケースの開口はカバーで覆われる。この場合、絶縁シートの開口の側に位置する端がケースとカバーの合わせ面の間に入り込み、二次電池の組立性が悪くなる虞がある。本明細書では、二次電池においてケースとカバーの合わせ面の間に絶縁シートが入り込むことを防止する技術を提供する。
【課題を解決するための手段】
【０００５】
本明細書が開示する二次電池は、上面に開口が設けられているケースと開口を塞いでいるカバーとケースに収容されている電極体と絶縁シートを備えている。絶縁シートは、電極体とケースの内側面との間に配置されている。そして、ケースの内側面の上端であって、カバーの下方に突起が設けられており、絶縁シートの上端は、突起に沿ってケースの内側へ湾曲している。
【０００６】
この構成によれば、ケースの内側面に設けられた突起により、絶縁シートの上端がケースの内側へと案内される。絶縁シートの上端がケースの内側へと案内されれば、絶縁シートの上端がケースとカバーの合わせ面の間から遠ざかる。よって、絶縁シートの上端がケースとカバーの合わせ面の間に入り込むことが防止される。
【発明の効果】
【０００７】
本明細書が開示する技術によれば、二次電池においてケースとカバーの合わせ面の間に絶縁シートが入り込むことを防止することができる。本明細書が開示する技術の詳細とさらなる改良は以下の「発明を実施するための形態」にて説明する。
【図面の簡単な説明】
【０００８】
【図１】実施例の二次電池の分解斜視図である。
【図２】二次電池の正面断面図である。
【図３】図２にIII−III線における二次電池の側面断面図である。
【図４】図３の破線領域IVの拡大図である。
【発明を実施するための形態】
【０００９】
図面を参照して実施例の二次電池を説明する。図１は、実施例の二次電池２００の分解斜視図である。図１に示すように、二次電池２００は、扁平なケース４に、袋状に折り畳められた絶縁シート３０で覆われる扁平な電極体２を電解液と共に収容することで構成される。図１では、ケース４の開口を塞ぐケースカバーと電極体２に接続される正極リードと負極リードが省略して描かれている。図中にはＸＹＺ座標系が示されている。以下では、適宜ＸＹＺ座標系を用いて構成を説明する。Ｚ軸が垂直方向を示し、Ｘ軸，Ｙ軸が水平方向を示す。
【００１０】
電極体２は、セパレータを挟んで帯状の正極シートと帯状の負極シートが積層された積層体を扁平に巻回すことで形成されている。電極体２の巻回軸方向がＸ軸に一致する。ここで、正極シートと負極シートは帯状の幅方向（即ち、巻回軸方向）にずらされて積層される。よって、電極体２の巻回軸方向の両端の一方に正極シートのみが重なっている正極集電タブ２ａが形成され、他方に負極シートのみが重なっている負極集電タブ２ｂが形成される。
【００１１】
絶縁シート３０は、一部に切欠きが設けられた帯状のシートである。上述したように、絶縁シート３０は、袋状に折り畳まれる。以下、袋状に折り畳まれた絶縁シート３０を「絶縁袋３」と称する。図１に示すように、絶縁袋３は電極体２を覆うような扁平な袋である。図１に示すように、絶縁袋３の幅狭の側部３ａ（即ち、Ｘ軸方向を向いている側部）２枚の絶縁シート３０が重なって構成されており、絶縁袋３の幅広の側部３ｂ（即ち、Ｙ軸方向を向いている側部）は１枚の絶縁シート３０で構成されている。
【００１２】
ケース４は、上面に開口が設けられている扁平な矩形のケースである。ケース４は、互いに向かい合う２つの幅狭の内側面４ａ（即ち、Ｘ軸方向でケース４の端に位置する内側面）と、互いに向かい合う２つの幅広の内側面４ｂ（即ち、Ｙ軸方向でケース４の端に位置する内側面）を有している。内側面は、別言すれば、ケース４の内側に位置する側面と表すこともできる。内側面４ａは、絶縁袋３の幅狭の側部３ａと対向する内側面である。内側面４ｂは、絶縁袋３の幅広の側部３ｂと対向する内側面である。２つの幅広の内側面４ａの夫々には、ケース４の内側に向かう突起１４が設けられている。突起１４は、Ｘ軸方向に水平に延びている。突起１４は、内側面４ａの上端に設けられている。なお、本明細書において「端」と示す場合、特に断らない限り厳密な端だけでなくその近傍も含む。
【００１３】
絶縁袋３の側部３ｂの高さＬ１は、突起１４が設けられている位置の高さＬ２よりも高い。ここで、高さＬ２は、突起１４の頂上とケース４の内側の底面４ｃとの距離に相当する。絶縁袋３の側部３ａの高さも、側部３ｂと同じ高さである。後述するように、高さＬ２は、カバー５の下面５ａのケース４の底面４ｃからの高さと同じとなる。即ち、絶縁シート３０は、その両端がカバー５の下面５ａに接するだけの長さを有している。これにより、電極体２を絶縁シート３０で確実に覆うことができ、電極体２とケース４の間を良好に絶縁することができる。
【００１４】
図２，図３を参照して、さらに詳しく二次電池２００の構成について説明する。図２は、二次電池２００のケース４の幅広の側面と直交する方向（即ち、Ｙ軸方向）から見た二次電池２００の正面断面図である。図２において、ケース４とカバー５と絶縁袋３と各種ガスケットは断面で描かれており、他の構成（例えば、電極体２等）は正面図で描かれている。図３は、二次電池２００のケース４の幅狭の側面と直交する方向（即ち、Ｘ軸方向）から見た二次電池２００の側面断面図である。図３は、図２のIII−III線における断面図でもある。図３において、電極体２のハッチングは省略して描かれていることに留意されたい。
【００１５】
図２に示すように、二次電池２００は、ケース４の開口を塞ぐカバー５を備えている。カバー５は、ケース４の開口の内側に嵌る。カバー５の側面とその側面と対向するケース４の内側面の一部とが接合されることで、ケース４がカバー５により封止される。本明細書では、カバー５の側面とその側面と対向するケース４の内側面の一部を「合わせ面ＭＦ」と称する。合わせ面ＭＦの接合は、例えば、溶接により行われる。
【００１６】
また、図２に示すように、電極体２の巻回軸方向（即ち、Ｘ軸方向）の両側に位置する正極集電タブ２ａ，負極集電タブ２ｂには、夫々、正極リード６ａ，負極リード６ｂの一端が接続されている。正極リード６ａ，負極リード６ｂは導電性の金属、例えば、銅で作られている。正極リード６ａ，負極リード６ｂの夫々の他端には、正極端子７ａ，負極端子７ｂが接続されている。正極端子７ａ，負極端子７ｂは夫々、カバー５の下面から上面へ貫通している。これにより、電極体２で発生した起電力が正極リード６ａ，負極リード６ｂと正極端子７ａ，負極端子７ｂにより、ケース４の外側へと出力される。なお、正極端子７ａ，負極端子７ｂとカバー５の間は夫々、ガスケット９ａ，９ｂにより封止されていると共に絶縁されている。また、正極リード６ａ，負極リード６ｂとカバー５の間は夫々、絶縁部材８ａ，８ｂにより絶縁されている。
【００１７】
上述したように、絶縁袋３の幅狭の側部３ａの高さは、カバー５の下面５ａのケース４の底面４ｃからの高さＬ３より高い。絶縁袋３の側部３ａの上端は、カバー５の下面５ａに接触するのに充分な高さに位置し得る。よって、電極体２とケース４の幅狭の内側面４ａの間に確実に絶縁シート３０が配置されることになり、二次電池２００は良好な絶縁性を有することができる。なお、実際には、絶縁袋３の側部３ａが高い分だけカバー５の下面５ａとケース４の底面４ｃの間で絶縁シート３０が余り、その余った分により絶縁袋３の側部３ａの一部が湾曲している。図２では、その湾曲した部分の図示を省略し、絶縁袋３の側部３ａの断面はストレート形状に描かれていることに留意されたい。
【００１８】
また、図３に示すように、突起１４は、ケース４の側部の一部がケース４の内側に湾曲することにより形成される。例えば、突起１４は、プレス加工により形成される。突起１４は、カバー５の下面５ａと同じ高さに設けられている。図３に、下面５ａのケース４の底面４ｃからの高さＬ３が示されており、高さＬ３は、上述した突起１４の位置の高さＬ２と同じである。突起１４は、カバー５の下方に位置しており、突起１４は、カバー５とケース４との合わせ面ＭＦの下方に位置している。なお、カバー５の下面５ａのＹ軸方向における両端に位置する角は、突起１４との干渉を避けるために面取りされている。
【００１９】
上述したように、絶縁袋３の幅広の側部３ｂの高さＬ１は、カバー５の下面５ａの高さＬ３より高い。よって、電極体２とケース４の幅広の内側面４ｂの間に確実に絶縁シート３０が配置されることになり、二次電池２００は良好な絶縁性を有することができる。
【００２０】
図４を参照して、突起１４の効果について説明する。図４は、図３の破線領域IVの拡大図である。上述したように、絶縁袋３の側部３ｂの高さＬ１は、カバー５の下面５ａの高さＬ３、即ち、突起１４が設けられている位置の高さＬ２よりも高い。そのため、図４に示すように、絶縁袋３の側部３ｂの上端３ｅは、突起１４に接することによってケース４の内側へと湾曲している。つまり、側部３ｂの上端３ｅが、突起１４により合わせ面ＭＦから遠ざかるように案内される。よって、絶縁袋３の側部３ｂの上端３ｅが、合わせ面ＭＦに入り込むことが防止される。これにより、例えば、合わせ面ＭＦの接合方法である溶接の信頼性が向上する。
【００２１】
なお、二次電池２００では、絶縁袋３の幅広の側部３ｂは一枚の絶縁シート３０で構成されているので、合わせ面ＭＦに側部３ｂの上端３ｅが入り込み易い。そのため、上述の実施例では、側部３ｂと対向するケース４の内側面４ｂに突起１４を設けている。変形例として、絶縁袋３の幅狭の側部３ａと対向するケース４の内側面４ａにも、突起１４と同様の突起を設けても良い。
【００２２】
以下、実施例で示した技術に関する留意点を述べる。カバーは、ケース４の開口の外側に位置しており、ケース４の上面と接合されてもよい。
【００２３】
絶縁シート３は、袋状に折り畳まれていなくても良い。例えば、電極体２の幅広の側面を覆うように、Ｕ字形状に折り畳まれても良い。
【００２４】
突起１４は、カバー５の下方に設けられていればよく、突起１４が設けられている位置の高さＬ２と、カバー５の下面５ａの高さＬ３が同じでなくても良い。
【００２５】
突起１４は、Ｘ軸方向に水平に切れ目なく延びる一本の突起であるが、突起１４は、途中に切れ目を有して延びる複数本の突起に分割されてもよい。また、突起１４は、実施例に示すように形成されるものに限らない。例えば、突起１４は、ケース４の側壁の一部を厚くすることにより形成されてもよい。
【００２６】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００２７】
２：電極体
２ａ：正極集電タブ
２ｂ：負極集電タブ
３：絶縁袋
３ａ：絶縁袋の幅狭の側部
３ｂ：絶縁袋の幅広の側部
４：ケース
４ａ：ケースの幅狭の内側面
４ｂ：ケースの幅広の内側面
５：カバー
５ａ：カバーの下面
６ａ：正極リード
６ｂ：負極リード
７ａ：正極端子
７ｂ：負極端子
８ａ，８ｂ：絶縁部材
９ａ，９ｂ：ガスケット
１４：突起
３０：絶縁シート
２００：二次電池
【図１】
2016110958.tif 000003
【図２】
2016110958.tif 000004
【図３】
2016110958.tif 000005
【図４】
2016110958.tif 000006